(57)【要約】      （修正有）【課題】洗浄液を効率良く被浄化面に浸透させて、少ない洗浄液により汚れを溶解／分散させる吸引ヘッドを提供すること。【解決手段】吸引ヘッド１は、被浄化面に対して吸引作用を行う吸引開口Ｐと洗浄液が流出する流出開口Ｑが先端に開口しており、吸引開口Ｐから空気を吸引する管路２と、大気から給気を行う給気口３２と洗浄液を吐出するノズル４０とを有し、給気口３２から給気した空気を流出開口Ｑへ導く管路３とを有している。管路２と管路３との間には相互を連通する連通路が設けられ、管路３にはノズル４０から吐出する洗浄液の経路を開けた状態で、この洗浄液の経路と連通路との間で流出開口Ｑに向けて進退する追従体６が設けられており、流出開口Ｑに向けられた追従体６の正面には洗浄液通路６２が形成されている。【選択図】図１
2019076224.tif 000002
【特許請求の範囲】
【請求項１】
被浄化面に対して吸引作用を行う吸引開口と洗浄液が流出する流出開口が先端に開口した吸引ヘッドにおいて、
前記吸引開口から空気を吸引する第１の管路と、
洗浄液を前記流出開口へ導く第２の管路と、
前記第１の管路と第２の管路との間には相互を連通する連通路が設けられており、かつ
前記第２の管路には前記洗浄液から前記流出開口への経路を開けた状態で、前記連通路と前記洗浄液の経路との間で前記流出開口に向けて進退する追従体が設けられており、前記流出開口に向けられた前記追従体の正面には洗浄液通路が形成されていることを特徴とする吸引ヘッド。
【請求項２】
前記第２の管路内にノズルが配置され、前記給気口から前記流出開口の負圧により洗浄液を吐出することを特徴とする請求項１に記載の吸引ヘッド。
【請求項３】
前記第２の管路における前記給気口から給気した空気が前記流出開口へ導かれる途中にノズルが配置され、前記ノズルは、ポンプにより加圧された洗浄液を吐出するノズルであることを特徴とする請求項１に記載の吸引ヘッド。
【発明の詳細な説明】
【技術分野】
【０００１】
本考案は、被浄化面に洗浄液を供給して吸引し除去する湿式クリーナーの吸引ヘッドに関する。
【背景技術】
【０００２】
湿式クリーナーは、被浄化面に洗浄液（水、洗剤等）を供給し床面を洗浄しながら、被浄化面上の洗浄液及びこれに溶解／分散された汚れを吸引する。このような、湿式クリーナーとして例えば、特許文献１に示されるものが知られている。この湿式クリーナーは、電動ポンプにより洗浄水を吸引ヘッドに圧送し、被浄化面に吹き付ける。
【０００３】
また、特許文献２には、吸引空気の負圧を利用することにより、洗浄液を吸い出して床面に吹き付ける湿式クリーナーが開示されている。
【先行技術文献】
【特許文献】
【０００４】
【特許文献１】特開２００２−２７２８０７号公報
【特許文献２】特開２０１４−９４０２６号公報
【発明の概要】
【発明が解決しようとする課題】
【０００５】
被浄化面に供給される洗浄液は、被浄化面の汚れを溶解／分散させる。しかしながら、被浄化面に供給される洗浄液の一部は、被浄化面から跳ね上がりそのまま吸引され、また被浄化面に触れずに上を流れただけで吸引されている。その結果、洗浄液が効率良く洗浄に利用されないということが生じる。
【０００６】
本発明の目的は、洗浄液を効率良く被浄化面の汚れに触れさせて、少ない洗浄液により溶解／分散させ、よりきれいに洗浄する吸引ヘッドを提供することにある。
【課題を解決するための手段】
【０００７】
本発明の吸引ヘッドは、被浄化面に対して吸引作用を行う吸引開口と洗浄液が流出する流出開口が先端に開口した吸引ヘッドにおいて、
前記吸引開口から空気を吸引する第１の管路と、
洗浄液を前記流出開口へ導く第２の管路と、
前記第１の管路と第２の管路との間には相互を連通する連通路が設けられており、かつ
前記第２の管路には前記洗浄液から前記流出開口への経路を開けた状態で、前記連通路と前記洗浄液の経路との間で前記流出開口に向けて進退する追従体が設けられており、前記流出開口に向けられた前記追従体の正面には洗浄液通路が形成されていることを特徴とする。
【発明の効果】
【０００８】
本発明によれば、吸引ヘッドの流出開口に進退方向に可動する追従体が設けられる。追従体は、追従体の表面の洗浄液通路を通して被浄化面との間を洗浄液が流れることにより、被浄化面Ｒの表面の毛足の有無、長さによらず、洗浄液の殆どが被浄化面Ｒに直接的に触れるように成り、効率的に洗浄することができる。
【図面の簡単な説明】
【０００９】
【図１】吸引ヘッドを示す図であり、図１Ａは吸引ヘッドの側面図であり、図１Ｂは矢印ｚ方向から見た背面図であり、図１Ｃは矢印ｙ１方向から見た正面図である。
【図２】吸引ヘッドの各部を示す図であり、図２Ａは吸引ヘッド１のＸ１−Ｘ１断面図、図２Ｂ〜２Ｇは、順に追従体６の正面図、右側面図、底面図、平面図、背面図、Ｘ２−Ｘ２断面図である。
【図３】吸引ヘッドの断面図であって、図３Ａは吸引ヘッドのＸ１−Ｘ１断面図、図３Ｂは一部を切断した底面図である。
【図４】吸引ヘッドの作用を説明する図であり、図４Ａは追従体６を取り外した状態を示した図、図４Ｂ〜Ｄは、追従体６を取り付けた状態を示した図である。
【図５】実施例２による吸引ヘッドを示す図であり、図５Ａは吸引ヘッドの側面図であり、図５Ｂは矢印ｙ２方向から見た正面図である。
【図６】吸引ヘッドの各部を示す図であり、図６Ａは吸引ヘッド１の側面断面図、図６Ｂ〜６Ｆは、順に追従体６の正面図、右側面図、底面図、平面図、背面図である。
【図７】吸引ヘッドの作用を説明する図であり、図７Ａは吸引ヘッドを空中で保持した状態を示した図、図７Ｂ〜Ｄは被浄化面に当接した様子を示した図である。
【図８】実施例３による吸引ヘッドを示す図であり、図８Ａは側断面図、図８Ｂは一部切断した底面図、図８Ｃは追従体の正面図である。
【図９】他の実施例を示す図であり、図９Ａ−Ｃは追従体の表面パターン例、図Ｄ、Ｆは追従体の他の可動例である。
【発明を実施するための形態】
【実施例１】
【００１０】
図１は吸引ヘッド１を示している。吸引ヘッド１は、吸引空気の負圧を利用することにより、洗浄液を吸い出して床面に吹き付ける湿式クリーナーに用いられる。図１Ａは吸引ヘッドの側面図であり、図１Ｂは矢印ｚ方向から見た背面図であり、図１Ｃは矢印ｙ１方向から見た正面図である。吸引ヘッド１は、吸引空気を通す管路２（第１の管路）を上側に、洗浄液を噴射する管路３（第２の管路）を下側に有している。４は、洗浄液が供給されるパイプである。
【００１１】
吸引ヘッド１の正面側が、被浄化面に対して対向するスライド面５になっている。スライド面５の管路２上側には、正面後方に反り返るように上昇するように連続的に湾曲して立ち上がった前端部５１を有している。管路３下側は、スライド面５が延長された後端部５２が設けられる。５３は、前端部５１に設けられた溝である。
【００１２】
図１Ｃにおいて、吸引ヘッド１の先端正面には、被浄化面に対して吸引作用を行う吸引開口Ｐと、洗浄液が流出する流出開口Ｑが開口している。流出開口Ｑの中には、追従体６が備えられており、追従体６の奥側にパイプ４から続いたノズル４０が見えている。
【００１３】
図２Ａは、吸引ヘッド１のＸ１−Ｘ１断面図である。管路３の流出開口Ｑ側にはガイド３１が設けられ、追従体６が流出開口Ｑに対して進退可能になっている。また、流出開口Ｑと吸引開口Ｐとの間には離間バー７が設けられ、離間バー７の後側（図面、右側）には、管路２と管路３とを連通する連通路７１が設けられている。離間バー７は、被浄化面がシートのような柔軟物である場合に、吸引開口Ｐの中に巻き込みにくくするように、被浄化面との間を離間させるものである。被浄化面が吸引開口Ｐの中に巻き込まれないほど固い物である場合には、特に必要は無い。連通路７１は、管路３から流出した洗浄液が管路２に吸引する経路となるものである。
【００１４】
図２Ｂ〜２Ｇは、順に追従体６の正面図、右側面図、底面図、平面図、背面図、Ｘ２−Ｘ２断面図である。追従体６は、左右の両端にガイド３１に案内され、摺動部６１がガイド３１を摺動することにより、流出開口Ｑに向けて進退する。また、図２Ｂの正面図において、正面６６に斜めに刻まれた溝状の洗浄液通路６２を多数有している。洗浄液通路６２には、互いに交差して亀甲模様を呈している。追従体６の底面６７は、幅方向に切り欠かれており、管路３の内部空間を吸引ヘッド１の正面側に開く窓６３が形成されている（図１Ｃを合わせて参照）。窓６３は、流出開口Ｑの開口の中で、ノズル４０から吐出する洗浄液の経路を開けた状態としておくものである。追従体６がガイド３１を摺動するとき、追従体６の上側（平面側）は、連通路７１よりも奥側の面７２に対して、できるだけ隙間を開けないように、互いに倣った形状になっている（本実施例では、互いに平坦な面同士）。追従体６は、連通路７１と窓６３により開けられた洗浄液の経路との間で進退するのである。
【００１５】
追従体６の正面６６と底面６７との間は、面取りがされており、スライド面５による被浄化面の上でのスライドを干渉しないようにしている。洗浄液通路６２は底面６７から追従体６の平面６８に到るまで連続して正面６６に刻まれている。
【００１６】
図３Ａは、吸引ヘッド１のＸ１−Ｘ１断面図であって、追従体６を取り外した状態を示している。尚、追従体６については、吸引ヘッド１の中での位置付けが明確になるように、薄墨を付した。以下、図４、６、７において同じである。ガイド３１は、追従体６が摺動する範囲に設けられる。また、ノズル４０は、窓６３に向けられている。図３Ｂは、同じく追従体６を取り外して管路３の一部を切断した状態の底面図である。管路３は、パイプ４の両側に大気に開放された給気口３２を有している。給気口３２から取り入れた空気ｗ１は、ノズル４０の脇を経由して流出開口Ｑに到る。ノズル４０から漏れ出した洗浄液は、ノズル４０から流出開口Ｑに到る管路３の通路で空気ｗ１と混合し、窓６３から被浄化面に衝突する（尚、図では水滴で示した洗浄液は緩やかに飛んでいるように図示されているが、実際には激しい）。
【００１７】
図４を用いて吸引ヘッド１の作用について説明する。
図４Ａは、理解を深めるために追従体６を取り外した状態を示している。
追従体６の無い吸引ヘッド１を被浄化面Ｒに押しつけて、管路２から吸引を開始すると、吸引作用により、連通路７１を介して管路３の圧力を負圧にする。すると、給気口３２から空気ｗ１が取り入れられるとともに、ノズル４０から洗浄液が引き出される。空気ｗ１と洗浄液が混じり合い被浄化面Ｒに衝突して被浄化面Ｒを洗浄するが、多くは跳ね上がりそのまま連通路７１から管路２に吸い込まれる。若しくは、管路２の負圧により直接的に管路２に吸い込まれる。尚、被浄化面Ｒは、板床面を想定している。表面を洗うために直接的に被浄化面Ｒに接触する洗浄液は一部のみである。
【００１８】
図４Ｂ〜Ｄは、追従体６を取り付けた状態を示している。図４Ｂにおいて、追従体６は板床面である被浄化面Ｒに当接している。管路２から吸引を開始すると、吸引作用により、連通路７１を介して管路３の圧力を負圧にする。このとき、追従体６と連通路７１よりも奥側の面７２との間を通して管路３を負圧にするのではなく、追従体６の洗浄液通路６２と窓６３（図２参照）を通して管路３の圧力を負圧にする。追従体６の平面６８と面７２とはできるだけ隙間を開けないように、互いに倣った形状になっているからである。
【００１９】
管路３を負圧にすることにより追従体６は、給気口３２（図３Ｂ参照）から吸い込まれた空気ｗ１により、被浄化面Ｒに押し付けられている。ノズル４０から引き出された洗浄液は、窓６３から飛び出して被浄化面Ｒに衝突して被浄化面Ｒを洗浄し、追従体６の洗浄液通路６２を通って連通路７１から管路２に吸い込まれる。その結果、洗浄液の殆どが、被浄化面Ｒに直接的に触れるように成り、効率的に洗浄する。
【００２０】
図４Ｃは、毛足の短いカーペットである被浄化面Ｒに対する、吸引ヘッド１の作用を示している。図４Ｂの場合と比べ、追従体６は被浄化面Ｒの毛足の存在により若干後退しているが、給気口３２から吸い込まれた空気ｗ１により追従体６の背面６９が押され、被浄化面Ｒの毛足を押さえ付けたようになっている。ノズル４０から漏れ出した洗浄液は、被浄化面Ｒに衝突して浸透するとともに、追従体６の洗浄液通路６２を流れる。
【００２１】
図４Ｄは、毛足の長い絨毯である被浄化面Ｒに対する、吸引ヘッド１の作用を示している。図４Ｃの場合と比べ、追従体６は被浄化面Ｒの毛足の存在によりさらに後退しているが、被浄化面Ｒの毛足を押さえ付ける点、洗浄液が被浄化面Ｒに衝突して浸透するとともに、追従体６の洗浄液通路６２を流れる点は同じである。
【００２２】
このように、追従体６が被浄化面Ｒに向けて押さえつけられることにより、被浄化面Ｒの表面の毛足の有無、長さによらず、洗浄液の殆どが被浄化面Ｒに直接的に触れるように成り、効率的に洗浄することができる。
【００２３】
また、本実施例において、洗浄液通路６２は底面６７から平面６８に到る経路で連続しかつ斜行しているが、波状に湾曲していても良い。底面６７から平面６８に到る経路を最短とする直線では、洗浄水が被浄化面Ｒと接触する距離を短くし、かつ被浄化面Ｒに起毛があるときには巻き込みやすくなる。
【００２４】
尚、実施例では、追従体６は、給気口３２から吸い込まれた空気ｗ１により被浄化面Ｒに対して押さえ付けられているが、バネ等の弾性手段を用いて押さえ付けを行っても良い。しかしながら、給気口３２から吸い込まれた空気ｗ１による押さえ付ける力は十分に強く、部品点数の削減効果を考慮すると、バネ等の弾性手段を用いない方が望ましい。
【実施例２】
【００２５】
図５は実施例２による吸引ヘッド１００を示している。吸引ヘッド１００は、ポンプにより圧力を掛けて洗浄液を吐出する湿式クリーナーに用いられる。図５Ａは吸引ヘッドの側断面図であり、図５Ｂは矢印ｙ２方向から見た正面図である。吸引ヘッド１００は、吸引空気を通す管路１０２を下側に、洗浄液を噴射する管路１０３を上側に有している。１０４は、洗浄液が供給されるパイプである。吸引ヘッド１００の正面側が、被浄化面に対して対向するスライド面１０５になっている。
【００２６】
図５Ｂにおいて、吸引ヘッド１００の先端正面には、被浄化面に対して吸引作用を行う吸引開口Ｐと、洗浄液が流出する流出開口Ｑが設けられている。流出開口Ｑの中には、追従体１０６が備えられており、追従体１０６の奥側にパイプ１０４から続いたノズル１４０が見えている。ノズル１４０の正面には、遮蔽板１４３が設けられている。遮蔽板１４３には、開口１４４が設けられている。遮蔽板１４３は、ピストン部１４２とスプリング１４１の作用により、上下方向に移動可能であって、遮蔽板１４３の開口１４４がノズル１４０に正対するポジションと、ズレてノズル１４０の正面を封鎖するポジションをとることができる。
【００２７】
ピストン部１４２は、その周囲に大気側と管路１０３（第２の管路）との間をつなぐ隙間（給気口１４５）を有しており、管路１０２（第１の管路）において吸引が開始され、連通路１７３を介して管路１０３が負圧になると、ピストン部１４２周囲の隙間から直ちに大気の空気が流入して大気圧に戻す。ピストン部１４２の周囲の隙間を給気口１４５として利用することにより、スプリング１４１の周辺に給気された空気が常に流れることになり、塵の堆積を防ぐことができる。
【００２８】
図６Ａは、吸引ヘッド１００から追従体１０６を取り外した状態を示している。管路１０３の流出開口Ｑ側にはガイド１３１が設けられ、追従体１０６が流出開口Ｑに対して進退可能になっている。また、流出開口Ｑと吸引開口Ｐとの間には離間バー１０７が設けられ、離間バー１０７の後側（図面、右側）には、管路１０２と管路１０３とを連通する連通路１７１が設けられている。連通路１７３は、連通路１７１の奥側である。離間バー１０７の働きは、先の実施例の離間バー７と同じである。連通路１７１は、管路１０３から流出した洗浄液が管路１０２に吸引する経路となるものである。
【００２９】
図６Ｂ〜６Ｇは、順に追従体６の正面図、右側面図、底面図、平面図、背面図、である。追従体１０６は、左右の両端にガイド１３１に案内され、ガイド１３１を摺動する摺動部１６１を有している。また、図６Ｂの正面図において、正面１６６に斜めに刻まれた洗浄液通路１６２を多数有している。洗浄液通路１６２は、互いに交差して亀甲模様を呈している。追従体１０６の上側（平面１６８）は、幅方向に切り欠かれた面となっており、管路１０３の内部空間を吸引ヘッド１００の正面側に開く窓１６３になっている（図５Ｃを合わせて参照）。窓１６３は、流出開口Ｑの開口の中で、ノズル１４０から吐出する洗浄液の経路を開けた状態としておくものである。追従体１０６がガイド１３１を摺動するとき、追従体１０６の底面１６７は、連通路１７１よりも奥側の面１７２に対して、できるだけ隙間を開けないように、互いに倣った形状になっている（本実施例では、互いに平坦な面同士）。追従体１０６は、連通路１７１と窓１６３により開けられた洗浄液の経路との間で進退するのである。
【００３０】
追従体１０６の底面１６７と平面１６８との間は、面取りがされており、スライド面１０５による被浄化面上でのスライドを干渉しないようにしている。洗浄液通路１６２は、追従体１０６の底面１６７から平面１６８に到るまで連続して、正面１６６に刻まれている。
【００３１】
図７を用いて吸引ヘッド１００の作用について説明する。
図７Ａは吸引ヘッド１００の吸引開口Ｐを空中に浮かせた状態である。管路１０２は吸引状態であって、かつノズル１４０からは洗浄液が噴射されている状態であるとする。連通路１７３からの吸引は、窓１６３からの空気ｗ２によって補われるため、管路１０３内は大気圧となっており、ピストン部１４２はスプリング１４１の付勢力よって上部に移動している。遮蔽板１４３は、ノズル１４０から噴射される洗浄液の進路を遮断する位置に配置され、洗浄液は遮蔽板１４３に衝突し、その飛沫は連通路１７１を介して直ちに管路１０３に吸引される。
【００３２】
図７Ｂにおいて、板床面を被浄化面Ｒとして吸引ヘッド１００を接触させると、摺動部１６１は被浄化面Ｒとの接触により押し下げられて、摺動部１６１の底面と奥側の面１７２とが摺動して、連通路１７３を封鎖し、一方で窓１６３及び洗浄液通路１６２を介して連通路１７１に到る経路が形成される。これにより、管路１０３内が負圧になり、大気圧とこの負圧との差圧によって、ピストン部１４２をスプリング１４１の付勢力に抗して下方（管路１０３の内部空間に近接する方向）に移動させる。この動作によって、遮蔽板１４３は、開口１４４をノズル１４０に正対する位置に移動させ、洗浄液は、遮蔽板１４３に衝突することなく、流出開口Ｑに放出される。洗浄液は、被浄化面Ｒに衝突してこれを洗浄し、追従体６の洗浄液通路６２を通って連通路７１から管路２に吸い込まれる。その結果、洗浄液の殆どが、被浄化面Ｒに直接的に触れるように成り、効率的に洗浄する。
【００３３】
図７Ｃは、毛足の短いカーペットである被浄化面Ｒに対する、吸引ヘッド１００の作用を示している。図７Ｂの場合と比べ、追従体１０６は被浄化面Ｒの毛足の存在により若干後退しているが、ピストン部１４２の周囲の給気口１４５から吸い込まれた空気ｗ１により追従体１０６の背面１６９が押され、被浄化面Ｒの毛足を追従体１０６が押さえ付けたようになっている。ノズル１４０から吐出した洗浄液は、被浄化面Ｒに衝突して浸透するとともに、追従体１０６の洗浄液通路１６２を流れる。
【００３４】
図７Ｄは、毛足の長い絨毯である被浄化面Ｒに対する、吸引ヘッド１００の作用を示している。図７Ｃの場合と比べ、追従体１０６は被浄化面Ｒの毛足の存在によりさらに後退しているが、被浄化面Ｒの毛足を押さえ付ける点、洗浄液が被浄化面Ｒに衝突して浸透するとともに、追従体１０６の洗浄液通路１６２を流れる点は同じである。
【００３５】
このように、追従体６が被浄化面Ｒに向けて押さえつけられることにより、被浄化面Ｒの表面の毛足の有無、長さによらず、洗浄液の殆どが被浄化面Ｒに直接的に触れるように成り、効率的に洗浄することができる。
【００３６】
本実施例において、図７Ａにおいて、追従体１０６は管路１０３の先端（流出開口Ｑ）から飛び出ており、追従体１０６の後側で管路１０３と管路１０２が連通路１７１を介して直接連通する。一方、図７Ｂにおいて、板床面を被浄化面Ｒとして吸引ヘッド１００を接触させると、飛び出した追従体１０６は被浄化面Ｒとの接触により押し下げられて、この直接の連通経路は閉鎖されるようになっている。このような追従体１０６の飛び出しは、専らその自重によるものであるが、スプリングなどの付勢手段により飛び出すようにしても良い。尚、吸引ヘッド１００が被浄化面Ｒに当接している時に、給気口１４５から取り入れられた空気ｗ１により、追従体１０６が被浄化面Ｒに押しつけられている点は、実施例１と同じである。
【実施例３】
【００３７】
図８は実施例３による吸引ヘッド２００を示している。吸引ヘッド２００は、実施例１の吸引ヘッド１と同様に吸引作用による連通路２７１を介して管路２０３に与えられる負圧を利用することにより、洗浄液吸い出して床面に吹き付ける。しかしながら、吸引ヘッド１と違い、給気口３２を有していない。
【００３８】
吸引ヘッド２００は、比較的に吸引力の弱い掃除機や、一定の負荷が掛かると停止する掃除機に好適に用いられる。図８Ａに示すように、洗浄液を供給するパイプ２０４がノズル２４０に差し込まれており、ノズル２４０の先端にゆくにつれ高さを低くして管路２０３に開口している。また、図８Ｂに示すように、ノズル２４０はその先端にゆくにつれ幅を広くしている。
【００３９】
ガイド２３１は、実施例１と相違して、管路２０３の高さ方向の全域に設けられておらず、ノズル２４０から吐出した洗浄液が流出開口Ｑに到る箇所が除かれている。このため、追従体２０６は、図８Ｃに示す様に、他の実施例のような窓６３、１６３を有していない。ガイド３１、１３１をガイド２３１のようにすれば、追従体６、１０６には窓６３、１６３は不要である。
【００４０】
図９Ａ−Ｃは、追従体の表面パターンの変更例（図では追従体２０６のパターンを示してあるが、他の追従体も同様に適用できる。）である。表面パターンにより洗浄液通路は種々の形態を採用することができる。図９Ａでは、洗浄液通路２６２’は溝状ではなく、球状の突起が追従体２０６’の正面２６６’に離散的に設けられている。また、図９Ｂでは、洗浄液通路２６２’’は、直線状に設けられている。フローリング床面を清浄化する用途に利用できる。また、図９Ｃでは、洗浄液通路２６２’’’は、波状となっており、互いに交差はしていない。
【００４１】
図９Ｄ、９Ｅは、他の可動形態で進退する吸引ヘッドを示している。他の実施例においては、直線状に進退したが、吸引ヘッド３００においては、追従体３０６は枢軸３６６を中心として回転状に進退する。
【符号の説明】
【００４２】
１     吸引ヘッド
２、３     管路
４     パイプ
５     スライド面
６     追従体
７     離間バー
３１     ガイド
３２     給気口
４０     ノズル
５１     前端部
５２     後端部
６１     摺動部
６２     洗浄液通路
６３     窓
６６     正面
６７     底面
６８     平面
６９     背面
７１     連通路
７２     面
１００     吸引ヘッド
１０２、１０３     管路
１０４     パイプ
１０５     スライド面
１０６     追従体
１０７     離間バー
１３１     ガイド
１４０     ノズル
１４１     スプリング
１４２     ピストン部
１４３     遮蔽板
１４４     開口
１４５     給気口
１６１     摺動部
１６２     洗浄液通路
１６３     窓
１６６     正面
１６７     底面
１６８     平面
１６９     背面
１７１     連通路
１７２     面
Ｐ     吸引開口
Ｑ     流出開口
Ｒ     被浄化面
ｗ１     空気
ｗ２     空気
【図１】
2019076224.tif 000003
【図２】
2019076224.tif 000004
【図３】
2019076224.tif 000005
【図４】
2019076224.tif 000006
【図５】
2019076224.tif 000007
【図６】
2019076224.tif 000008
【図７】
2019076224.tif 000009
【図８】
2019076224.tif 000010
【図９】
2019076224.tif 000011
【手続補正書】
【提出日】平成30年4月18日(2018.4.18)
【手続補正１】
【補正対象書類名】特許請求の範囲
【補正対象項目名】請求項１
【補正方法】変更
【補正の内容】
【請求項１】
被浄化面に対して吸引作用を行う吸引開口と洗浄液が流出する流出開口が先端に開口した吸引ヘッドにおいて、
前記吸引開口から空気を吸引する第１の管路と、
洗浄液を吐出するノズルと、
前記吐出した洗浄液を前記流出開口へ導く第２の管路と、
前記第１の管路と第２の管路との間には相互を連通する連通路と、
前記洗浄液が前記流出開口へ到る経路を、前記連通路側は閉じるようにし、一方、前記連通路の反対側は開けた状態として、前記連通路と前記ノズルとの間で前記流出開口に向けて進退する追従体と、を具備し、
前記流出開口に向けられた前記追従体の正面には溝状の洗浄液通路が刻まれ、若しくは突起による洗浄液通路が形成されていることを特徴とする吸引ヘッド。
【手続補正２】
【補正対象書類名】明細書
【補正対象項目名】０００７
【補正方法】変更
【補正の内容】
【０００７】
本発明の吸引ヘッドは、被浄化面に対して吸引作用を行う吸引開口と洗浄液が流出する流出開口が先端に開口した吸引ヘッドにおいて、
前記吸引開口から空気を吸引する第１の管路と、
洗浄液を吐出するノズルと、
前記吐出した洗浄液を前記流出開口へ導く第２の管路と、
前記第１の管路と第２の管路との間には相互を連通する連通路と、
前記洗浄液が前記流出開口へ到る経路を、前記連通路側は閉じるようにし、一方、前記連通路の反対側は開けた状態として、前記連通路と前記ノズルとの間で前記流出開口に向けて進退する追従体と、を具備し、
前記流出開口に向けられた前記追従体の正面には溝状の洗浄液通路が刻まれ、若しくは突起による洗浄液通路が形成されていることを特徴とする。
。
【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
被浄化面に対して吸引作用を行う吸引開口と洗浄液が流出する流出開口が先端に開口した吸引ヘッドにおいて、
前記吸引開口から空気を吸引する第１の管路と、
洗浄液を吐出するノズルと、
前記吐出した洗浄液を前記流出開口へ導く第２の管路と、
前記第１の管路と第２の管路との間には相互を連通する連通路と、
前記洗浄液が前記流出開口へ到る経路を、前記連通路側は閉じるようにし、一方、前記連通路の反対側は開けた状態として、前記連通路と前記ノズルとの間で前記流出開口に向けて進退する追従体と、を具備し、
前記流出開口に向けられた前記追従体の正面には溝状の洗浄液通路が刻まれ、若しくは突起による洗浄液通路が形成されていることを特徴とする吸引ヘッド。
【請求項２】
前記第２の管路は、大気に開放された給気口を有し、
前記第２の管路内にノズルが配置され、前記流出開口の負圧により前記給気口から空気を前記第２の管路内に吸い込み、吸い込んだ空気により前記ノズルから洗浄液を吐出することを特徴とする請求項１に記載の吸引ヘッド。
【請求項３】
前記第２の管路は、大気に開放された給気口を有し、
前記流出開口の負圧により前記給気口から空気を前記第２の管路内に吸い込み、かつ
前記第２の管路内にノズルが配置されており、前記ノズルはポンプにより加圧された洗浄液を吐出するノズルであることを特徴とする請求項１に記載の吸引ヘッド。